(57)【要約】【課題】  優れた使用感が得られるとともに、清潔でアレルギー等の心配がなく、構造が簡単で耐久性に富むイヤリングを提供する。【解決手段】  Ｕ字状ないし一部が切り欠かれた環状に形成された、弾性撓み変形容易な保持金具２と、前記保持金具２の両端にそれぞれ設けられた、耳を表裏両側から挟み込む一対の保持体３、４とを備えており、前記保持金具２と一対の保持体３、４が純チタンを素材として一体に鋳造されている。【選択図】  図１
0003126598.tif 000002
【実用新案登録請求の範囲】
【請求項１】
Ｕ字状ないし一部が切り欠かれた環状に形成された、弾性撓み変形容易な保持金具と、
前記保持金具の両端にそれぞれ設けられた、耳を表裏両側から挟み込む一対の保持体とを備えたイヤリングにおいて、前記保持金具と前記一対の保持体が純チタンを素材として一体に鋳造されていることを特徴とするイヤリング。
【請求項２】
少なくとも前記一対の保持体が陽極酸化処理法により互いに異なった色に発色するように処理されていることを特徴とする請求項１記載のイヤリング。
【請求項３】
前記一対の保持体の少なくとも一方には、貴石、宝石等の宝飾体を設けてあることを特徴とする請求項１又は２記載のイヤリング。
【考案の詳細な説明】
【技術分野】
【０００１】
本考案は、耳たぶを挟んで装着する構造のイヤリングに関する。
【背景技術】
【０００２】
従来のイヤリングのタイプには、耳に装着する構造から分類すると、ピアスのように耳たぶに孔を開けて通すタイプのものと、金具で耳たぶを挟んで保持するタイプのものが一般的に広く用いられている。
【０００３】
このうち、金具で耳たぶを挟むタイプのイヤリングは、耳たぶに孔を開ける必要がなく、誰でも手軽に使用できる利点がある。このタイプのイヤリングは、さらに、２つのタイプに分類することができる。
【０００４】
その一つは、Ｕ字状の金具の対向する２つの片の一方にねじ孔が設けられており、ここに固定用のねじ部材を螺合するようになっているもので、耳たぶを当該ねじ部材の先端部と、Ｕ字状の金具の他方の片との間に挟み込んで、ねじ部材を適度に締め付けることにより、イヤリングを耳たぶに保持する構造になっている。
【０００５】
また、他の一つは、弾性撓み変形が容易なＵ字状もしくは一部が切り欠かれた環状に形成されている保持金具の両端に、それぞれ球形等の形状の保持体を固定したものである。（例えば、特許文献１参照。）
【特許文献１】特開平９−８４６０９号公報
【０００６】
これらの保持体の間の隙間は、保持金具に外力を加えない自然の状態においては、耳たぶの厚みよりも若干狭くなっているように設定されていて、イヤリングの装着時には、保持金具の弾性に抗して保持体どうしの間隔を指で拡げ、これらの間に耳たぶを挟み込んで保持金具の弾性復元力によって耳たぶに保持させるようにしている。
【考案の開示】
【考案が解決しようとする課題】
【０００７】
前述したような、種々のイヤリングのうち、特許文献１に記載されているような、保持金具の弾性によりイヤリングを保持するタイプのものは、耳への装着や取り外しが容易で、且つ、構造が比較的簡単であるため、製作コストを安くできる利点がある。（なお、同文献中の記載においては、「支持リング」が前記保持金具に、「係止体」が前記保持体にそれぞれ相当している。）
【０００８】
しかしながら、このタイプのイヤリングは、保持体と保持金具とを連結する構造として、一般的に、保持体に形成した孔に保持金具の端部を嵌入して接着剤で固定したり、保持体側にねじ穴を設け、保持金具の先端部に雄ねじを加工して、両者を螺合して結合する方法が採られているため、耳への着脱の繰り返すことにより、接着剤が剥離したり、ねじの結合に緩みが生じたりして、使用中に保持体が保持金具から脱落する恐れがあった。
【０００９】
また、このタイプのイヤリングの保持金具は、弾性撓み変形を容易にするために、ピアノ線等の鋼線材を曲げ加工して製作しているものが一般的であるが、特に、保持体と保持金具とをねじにより結合するタイプのものにおいては、ねじ穴や雄ねじの加工可能な最小径に制限があるため、使用可能な鋼線材の直径のものでは、保持金具の撓み変形に対するばね定数が大きくなり、ばね力が強すぎる傾向にある。
【００１０】
そのため、耳に装着した時に保持体で耳たぶが圧迫されて使い心地が悪く、保持体間の対向間隔が少し狭まっただけで、急激にばね力が低下する傾向にあるため、耳に装着したイヤリングが使用中に脱落する恐れがあった。
【００１１】
また、保持金具の素材として使用されるピアノ線等のばね鋼材は、汗等の塩分や水分で錆びを生じやすいため、ロジウムメッキ等の表面処理を行う必要であるとともに、イヤリングの使用中は、一対の保持体は常に耳に接しているため、発汗等の影響により保持体から溶け出した金属イオンが金属アレルギーを引き起こす恐れもあった。
【００１２】
そこで、本考案は、前述したような従来のイヤリングにおける問題点を解消し、優れた使用感が得られるとともに、清潔でアレルギー等の心配がなく、構造が簡単で耐久性に富むイヤリングを提供することを目的とする。
【課題を解決するための手段】
【００１３】
前記課題を解決するため、本考案のイヤリングは、Ｕ字状ないし一部が切り欠かれた環状に形成された、弾性撓み変形容易な保持金具と、前記保持金具の両端にそれぞれ設けられた、耳を表裏両側から挟み込む一対の保持体とを備えたイヤリングであって、前記保持金具と前記一対の保持体が純チタンを素材として一体に鋳造されているものである。
【００１４】
本考案のイヤリングにおいては、少なくとも前記一対の保持体が陽極酸化処理法により互いに異なった色に着色処理されていることが好ましい。また、前記一対の保持体の少なくとも一方には貴石、宝石等の宝飾部材が設けられていることも好ましい。
【考案の効果】
【００１５】
請求項１記載の考案に係るイヤリングによれば、Ｕ字状ないし一部が切り欠かれた環状に形成された、弾性撓み変形容易な保持金具と、前記保持金具の両端にそれぞれ設けられた、耳を表裏両側から挟み込む一対の保持体とを、純チタンを素材として一体に鋳造したものであるから、従来のこの種のイヤリングのように、保持体に加工した穴に保持金具の端部を嵌入して接着剤で固定したり、保持体側にねじ穴を設け、保持金具の先端部に雄ねじを加工して前記ねじ穴に螺合して固定する構造のものと比較して、長期の使用によっても、保持金具から保持体が脱落するようなことがない。
【００１６】
また、一対の保持体と保持金具とが鋳造によって一体に製造されているため、組み立て工程や組み立て後の調整工程を何ら必要としないので、量産効果が大きく、製品コストを低減することができる。
【００１７】
また、保持体部分と保持金具部分とを別部品として製造して組み立てている従来のイヤリングと比較して、デザインの自由度を高めることができる。
また、イヤリングの素材である純チタン自体が鋼と比較して弾性係数が小さく、保持金具部分の変形量に対して弾性復元力の変化が少ない特性を有するため、イヤリングを耳に装着した際に、保持体による耳たぶへの圧迫感が軽減されて快適な使用感が得られるとともに、使用中に脱落して紛失する可能性を低減することができる。
【００１８】
さらに、純チタンを使用していることにより、錆びや腐食を生じたり、金属アレルギーを起こす恐れがなく、しかも、保持体や保持金具の表面に空気中で自然に生成される酸化チタンの被膜が、光触媒として機能し、太陽光等に含まれる紫外線を受けて活性酸素を生成するため、保持体や保持金具に汚れが付着しにくく、抗菌の効果があるため衛生的である。
【００１９】
また、請求項２記載の考案に係るイヤリングによれば、イヤリングの装着時に少なくとも保持部の耳の表面側に見えるものと、裏側になるものとで、陽極酸化処理によって表面に形成された被膜の干渉色が異なる色として発色がされるため、耳へ装着する向きを逆にすることによって、一つのイヤリングで種類の異なる２つのイヤリングのように使用することができる。
【００２０】
また、請求項３記載の考案に係るイヤリングによれば、保持体に、貴石、宝石等の宝飾体を設けていることにより、装飾効果をより高めることができる。
【考案を実施するための最良の形態】
【００２１】
以下、図面に基づいて、本考案の実施形態を説明する。図１は、本考案のイヤリングの１実施形態を示す図であって、イヤリング１は、円形横断面を有するＵ字状の保持金具２と、当該保持金具２の両端部に連続して一体に形成されている一対の球状の保持体３、４を備えている。
【００２２】
保持金具２と一対の保持体３、４は、純チタンを素材として一体に鋳造されて製作されるものであって、小型のアーク炉で溶解したチタンを、ロストワックス法を用いて鋳造し、表面を鏡面に研磨して仕上げている。
【００２３】
前記イヤリング１は、詳細には図示していないが、保持金具２と保持体３、４との連結部分で断面積が不連続になってこの部分の強度が低下するのを防止するため、当該連結部分は微小な円弧状の滑らかな曲面で形成されている。
【００２４】
本実施形態のイヤリング１は、保持金具２部分の横断面が直径が０．８ｍｍの円形断面であり、保持体３、４はともに直径６ｍｍであって、図２に示すように、力が作用しない自然状態において保持体３と保持体４との隙間はおよそ２ｍｍになるように設定されていて、耳への装着時には、保持金具２の弾性変形の範囲内で、前記隙間は４ｍｍ程度まで指で拡げられるようになっている。
【００２５】
次に、図３は、前記イヤリング１の使用例を示す図であって、保持金具２の部分に連結環５を通して装飾体６を連結している。ここで、連結環５は純チタンの線材を環状に曲げて形成したもので、装飾体６は、イヤリング１と同様に純チタンをロストワックス法で鋳造し、陽極酸化処理法を用いて表面が青色や金色に発色するように処理されていて、その一部に、ジルコニア等の飾り石７が埋め込まれている。
【００２６】
また、図４は、本考案のイヤリングの他の実施形態を示すものであって、この実施形態のイヤリング１Ａは、２つの保持体３Ａ、４Ａの形状をそれぞれ涙滴形として、線状の保持金具２Ａとの連結部分の断面積がより滑らかに変化するようにしており、デザイン面で趣向を凝らしているとともに、耳への装着時における連結部分への応力の集中を緩和して強度を向上を図っている。
【００２７】
次に、図５に示すイヤリング１Ｂは、Ｕ字状の保持金具２Ｂの半分ずつと、それぞれの部分の端部に設けられている保持体３Ｂ、４Ｂとを陽極酸化処理法を用いて、左右両側で別々の色に発色するように処理したものである。
【００２８】
この実施形態のものにおいては、例えば、一方の保持体３Ｂと当該保持体３Ｂに連続している保持金具２Ｂの半分を青色に発色させ、他方の保持体４Ｂと当該保持体４Ｂに連続している保持金具２Ｂの半分をピンク色に発色させることで、イヤリング１Ｂの装着時に耳の表面側に見える部分と、裏側に隠れる部分とが異なった色になるため、耳へ装着する向きを逆にすることによって、イヤリング１Ｂ一つで色の異なる二種類のイヤリングのように使用することができる。
【００２９】
また、図６は、本考案のイヤリングのさらに他の実施形態を示すものであって、同図に示すイヤリング１Ｃは、一方の保持体３Ｃを球状に形成し、他方の保持体４Ｃの形状を涙滴形に形成したものである。
【００３０】
図７に示すイヤリング１Ｄは、一対の保持体３Ｄ、４Ｄを異なる形状としているとともに、保持金具２Ｄも非対称な形状としたもので、鋳造の利点を生かしてデザイン的な趣向をより高めたものである。
【００３１】
さらに、図８に示すイヤリング１Ｅは、Ｕ字状に形成された保持金具２Ｅの中央部に、円環部８を一体に鋳造して形成し、これに飾り９を連結したものである。なお、一対の保持体３Ｅ、４Ｅは、図１に示したものと同様に球状に形成されている。
【００３２】
また、図９に示すイヤリング１Ｆは、保持金具２Ｆの両端に設けられた一対の保持体３Ｆ、４Ｆのうち、片方の保持体４Ｆに、水晶やラピスラズリ等の飾り石１０を被嵌して接着剤で固定したものである。
【００３３】
さらに、図示は省略するが、一対の保持体の対向面側にそれぞれ異極どうし向くように、それぞれの保持体内部にネオジム磁石等の永久磁石を組み込んでもよく、これらの磁石が発生する磁界を非磁性体であるチタンの保持体を通過させて、耳たぶのツボに作用させることにより、磁気健康器具としての機能を兼用させることができる。
【００３４】
また、一対の保持体の対向面側に表面が露出するように、ゲルマニウム鉱石やトルマリン鉱石を各保持体内に組み込むことにより、ゲルマニウム健康器具やトルマリン健康器具としての機能を兼用させるようにしても良い。
【産業上の利用可能性】
【００３５】
本考案のイヤリングは、一般的な装身具としてのイヤリングとして用いることができる他、耳へ保持体を装着する場所によって耳のつぼ押し効果も得られるため、健康器具を兼ねた利用も可能である。
【図面の簡単な説明】
【００３６】
【図１】本考案のイヤリングの１実施形態を示す図である。
【図２】耳へ装着する際のイヤリングの変形状態を示す図である。
【図３】本考案のイヤリングの使用例を示す図である。
【図４】本考案のイヤリングの他の実施形態を示す図である。
【図５】本考案のイヤリングのさらに他の実施形態を示す図である。
【図６】本考案のイヤリングのさらに他の実施形態を示す図である。
【図７】本考案のイヤリングのさらに他の実施形態を示す図である。
【図８】本考案のイヤリングのさらに他の実施形態を示す図である。
【図９】本考案のイヤリングのさらに他の実施形態を示す図である。
【符号の説明】
【００３７】
１、１Ａ、１Ｂ、１Ｃ、１Ｄ、１Ｅ、１Ｆ  イヤリング
２、２Ａ、２Ｂ、２Ｃ、２Ｄ、２Ｅ、２Ｆ  保持金具
３、４、３Ａ、４Ａ、３Ｂ、４Ｂ、３Ｃ、４Ｃ、３Ｄ、４Ｄ、３Ｅ、４Ｅ、３Ｆ、４Ｆ  保持体
５  連結環
６  装飾体
７  飾り石
８  円環部
９  飾り
１０   飾り石  
【図１】
0003126598.tif 000003
【図２】
0003126598.tif 000004
【図３】
0003126598.tif 000005
【図４】
0003126598.tif 000006
【図５】
0003126598.tif 000007
【図６】
0003126598.tif 000008
【図７】
0003126598.tif 000009
【図８】
0003126598.tif 000010
【図９】
0003126598.tif 000011